(57)【要約】【課題】過電圧状態からインバータ装置を適切に保護することができるインバータ装置の過電圧保護方法を提供することを目的とする。【解決手段】直流電圧が上昇し、直流電圧検出器５２によって検出された直流電圧検出値Ｖdcが第２の直流電圧レベルＶOV2を超えると、保護回路５０はゲート駆動回路５１に禁止信号を出力してインバータ装置２の運転の停止を行うが、このときには一時的な直流電圧の上昇と判断してインバータ装置２の外部に異常信号発生器５５から異常出力信号は出力しない。一方、インバータ装置２が一時停止中に直流電圧がさらに上昇し、直流電圧検出値Ｖdcが第１の直流電圧レベルＶOV1を超えると、インバータ装置２の保護が必要と判断してインバータ装置２の外部に異常出力信号を出力する。【選択図】図１
2012070573.tif 000002
【特許請求の範囲】
【請求項１】
交流電圧を直流電圧に変換する整流部と、前記直流電圧を平滑する平滑コンデンサと、該平滑コンデンサにより平滑された直流電圧を交流電圧に変換するインバータ部と、前記直流電圧を検出する直流電圧検出器とを備えたインバータ装置の過電圧保護方法において、
前記直流電圧検出器により検出した直流電圧検出値を予め定めた第１の直流電圧レベルと比較する第１の比較器と、前記直流電圧検出器により検出した直流電圧検出値を予め定めた第２の直流電圧レベルと比較する第２の比較器と、当該インバータ装置の異常を外部に出力する異常信号発生器とを備え、
前記直流電圧検出値が前記第２の直流電圧レベルを超えたときインバータ装置の運転を停止し、前記直流電圧検出値が前記第１の直流電圧レベルを超えたとき異常出力信号を外部に出力することを特徴とするインバータ装置の過電圧保護方法。
【請求項２】
交流電圧を直流電圧に変換する整流部と、前記直流電圧を平滑する平滑コンデンサと、該平滑コンデンサにより平滑された直流電圧を交流電圧に変換するインバータ部と、前記直流電圧を検出する直流電圧検出器とを備えたインバータ装置の過電圧保護方法において、
前記直流電圧検出器により検出した直流電圧検出値を予め定めた第１の直流電圧レベルと比較する第１の比較器と、前記直流電圧検出器により検出した直流電圧検出値を予め定めた第２の直流電圧レベルと比較する第２の比較器と、当該インバータ装置の異常を外部に出力する異常信号発生器とを備え、
前記直流電圧検出値が前記第２の直流電圧レベルを超えたときインバータ装置の運転を停止し、予め定めた所定時間経過後にインバータ装置の運転を再開し、前記直流電圧検出値が前記第１の直流電圧レベルを超えたとき異常出力信号を外部に出力することを特徴とするインバータ装置の過電圧保護方法。
【請求項３】
交流電圧を直流電圧に変換する整流部と、前記直流電圧を平滑する平滑コンデンサと、該平滑コンデンサにより平滑された直流電圧を交流電圧に変換するインバータ部と、前記直流電圧を検出する直流電圧検出器とを備えたインバータ装置の過電圧保護方法において、
前記直流電圧検出器により検出した直流電圧検出値を予め定めた第１の直流電圧レベルと比較する第１の比較器と、前記直流電圧検出器により検出した直流電圧検出値を予め定めた第２の直流電圧レベルと比較する第２の比較器と、当該インバータ装置の異常を外部に出力する異常信号発生器とを備え、
前記直流電圧検出値が前記第２の直流電圧レベルを超えたときインバータ装置の運転を停止し、前記直流電圧検出値が予め定めた第３の直流電圧レベルまで低下したらインバータ装置の運転を再開し、前記直流電圧検出値が前記第１の直流電圧レベルを超えたとき異常出力信号を外部に出力することを特徴とするインバータ装置の過電圧保護方法。
【請求項４】
交流電圧を直流電圧に変換する整流部と、前記直流電圧を平滑する平滑コンデンサと、該平滑コンデンサにより平滑された直流電圧を交流電圧に変換するインバータ部と、前記直流電圧を検出する直流電圧検出器とを備えたインバータ装置の過電圧保護方法において、
前記直流電圧検出器により検出した直流電圧検出値を予め定めた第１の直流電圧レベルと比較する第１の比較器と、前記直流電圧検出器により検出した直流電圧検出値を予め定めた第２の直流電圧レベルと比較する第２の比較器と、当該インバータ装置の異常を外部に出力する異常信号発生器とを備え、
前記直流電圧検出値が前記第２の直流電圧レベルを超えたときインバータ装置の運転を停止し、予め定めた所定時間経過し、かつ前記直流電圧検出値が予め定めた第３の直流電圧レベルまで低下したらインバータ装置の運転を再開し、前記直流電圧検出値が前記第１の直流電圧レベルを超えたとき異常出力信号を外部に出力することを特徴とするインバータ装置の過電圧保護方法。
【発明の詳細な説明】
【技術分野】
【０００１】
この発明は、交流電圧を直流電圧に変換する整流部と、この直流電圧を平滑する平滑コンデンサと、この平滑された直流電圧を交流電圧に変換するインバータ部とを備えたインバータ装置の過電圧保護方法に関する。
【背景技術】
【０００２】
インバータ装置の運転中に過電圧や過電流等の異常が発生した際に、リトライ動作を行ってインバータ装置の運転を自動的に再開することにより、運転を継続することが行われている（例えば、特許文献１）。
【０００３】
図９に従来のインバータ装置の回路図を示す。
【０００４】
この図において、１は商用電源等の交流電源、２はインバータ装置、３は交流電動機であり、交流電源１からの交流電力はインバータ装置２により可変電圧・可変周波数の交流電力に変換され、この変換された交流電力で交流電動機３を所望の回転速度で運転する。４はインバータ装置２と交流電動機３との間に設けられたコンタクタである。
【０００５】
２１は交流電源１からの交流電圧を整流するダイオードを三相ブリッジ構成した整流部、２２は直流母線間に接続されて整流部２１の出力を平滑する平滑コンデンサ、２３は平滑コンデンサ２２両端の平滑された直流電圧を入力として所望の周波数と電圧とをもつ交流電圧に変換するインバータ部であり、ＩＧＢＴ等のスイッチング素子と還流用ダイオードとの逆並列回路を三相ブリッジ接続したものである。これら整流部２１，平滑コンデンサ２２，インバータ部２３によりインバータ装置２の主回路が構成されている。
【０００６】
５１はインバータ部２３を構成するＩＧＢＴ等のスイッチング素子に対してゲート信号を供給するゲート駆動回路、５２は平滑コンデンサ２２の両端電圧を検出する直流電圧検出器、５３は直流電圧検出器５２によって検出された直流電圧検出値Ｖdcと予め定めた直流電圧レベルＶOVとを比較し、直流電圧検出値Ｖdcが直流電圧レベルＶOVを超えたとき過電圧信号を出力する比較器、５４はインバータ装置２の運転を一時停止後に所定のリトライ動作条件に基づいてインバータ装置２の運転を再開させるリトライ信号を出力するリトライ回路、５５はインバータ装置２の一時停止の回数が予め定められた回数以上発生した際にインバータ装置２の外部に異常出力信号を出力する異常信号発生器、５０は比較器５３からの過電圧信号を受けてゲート駆動回路５１に禁止信号を出力してインバータ装置２の運転の一時停止を行うとともに、リトライ回路５４からのリトライ信号を受けてゲート駆動回路５１に許可信号を出力してインバータ装置２の運転再開を行う保護回路である。
【０００７】
図１０は図９の動作を示す波形図であり、以下、従来の過電圧保護方法の動作を図１０の動作波形図を用いて説明する。
【０００８】
ここでは、過電圧によるインバータ装置２の停止が１回目で装置異常と判断する場合について説明する。何らかの原因で直流電圧が上昇し、時刻ｔ1で直流電圧検出器５２によって検出された直流電圧検出値Ｖdcが直流電圧レベルＶOVを超えると比較器５３が過電圧信号を出力する。この過電圧信号は保護回路５０に入力され、保護回路５０はゲート駆動回路５１に禁止信号を出力してインバータ装置２の運転の停止（インバータ部２３を構成するスイッチング素子のゲート遮断）を行う。さらに、一時停止の回数が予め定めた回数以上発生しているため（この例では１回目の一時停止により装置異常と判断）、保護回路５０から異常信号発生器５５に異常信号が出力され、異常信号発生器５５ではインバータ装置２の外部に異常出力信号を出力してコンタクタ４を開放する。
【０００９】
また、図１１は、過電圧によるインバータ装置２の一時停止が３回目で装置異常と判断する場合の動作波形図である。
【００１０】
時刻ｔ1で直流電圧検出器５２によって検出された直流電圧検出値Ｖdcが直流電圧レベルＶOVを超えると比較器５３が過電圧信号を出力する。この過電圧信号は保護回路５０に入力され、保護回路５０はゲート駆動回路５１に禁止信号を出力してインバータ装置２の運転を一時停止するが、このときには一時停止の回数が予め定めた回数に達していないため、インバータ装置２の外部に異常信号発生器５５から異常出力信号は出力しない。その後、時刻ｔ2にて所定のリトライ動作条件が成立するとリトライ回路５４からリトライ信号が出力される。このリトライ信号を受けた保護回路５０はゲート駆動回路５１に許可信号を出力してインバータ装置２の運転再開を行う。ここで、所定のリトライ動作条件とは、例えば、インバータ装置２の運転を一時停止後、予め定めた所定時間が経過した後にインバータ装置２の運転再開を行うようにする、あるいは予め定めた直流電圧レベルまで直流電圧検出値Ｖdcが低下した後にインバータ装置２の運転再開を行うようにする等がある。
【００１１】
２回目の過電圧検出時における時刻ｔ3，時刻ｔ4の動作は、上記１回目の過電圧検出時における時刻ｔ1，時刻ｔ2の動作と同様であり、時刻ｔ3でインバータ装置２の運転を一時停止し、時刻ｔ4でインバータ装置２の運転を再開する。そして、時刻ｔ5にてインバータ装置２の一時停止の回数が３回目に達すると、保護回路５０はゲート駆動回路５１に禁止信号を出力してインバータ装置２の運転を停止するとともに、一時停止の回数が予め定めた回数以上発生したことを異常信号発生器５５に出力する。この信号を受けた異常信号発生器５５はインバータ装置２の外部に異常出力信号を出力してコンタクタ４を開放する。
【先行技術文献】
【特許文献】
【００１２】
【特許文献１】特開２０００−２０９８６８号公報
【発明の概要】
【発明が解決しようとする課題】
【００１３】
しかしながら、上記従来の技術では、１つの直流電圧レベルＶOVに基づいてインバータ装置２の過電圧を検出してインバータ装置の一時停止／運転再開を行っているため次記の問題があった。
【００１４】
すなわち、インバータ装置２を保護する目的でインバータ装置２の出力と交流電動機３との間にコンタクタ４を設け、異常信号発生器５５の異常出力信号に基づいてコンタクタ４を開放するようにしているが、この異常出力信号は一時停止の回数が予め定められた回数以上発生した後に出力される。
【００１５】
このとき図１１のＡ部で示すように、インバータ装置２が一時停止中に直流電圧がさらに上昇して装置の保護が必要な場合であっても、一時停止の回数が所定の回数に達していないときには異常信号発生器５５が異常出力信号を出力しないため、コンタクタ４を開放する等の適切な保護が行えないという問題があった。
【００１６】
特に、永久磁石形電動機を駆動するインバータ装置２では、電動機速度が異常に上昇した場合、誘起電圧によって直流電圧が急上昇してインバータ装置２の破壊に至る可能性がある。
【００１７】
この発明は、上記の問題を解決し、過電圧状態からインバータ装置を適切に保護することができるインバータ装置の過電圧保護方法を提供することを目的とする。
【課題を解決するための手段】
【００１８】
上記目的を達成するために、この発明は、交流電圧を直流電圧に変換する整流部と、前記直流電圧を平滑する平滑コンデンサと、該平滑コンデンサにより平滑された直流電圧を交流電圧に変換するインバータ部と、前記直流電圧を検出する直流電圧検出器とを備えたインバータ装置の過電圧保護方法において、前記直流電圧検出器により検出した直流電圧検出値を予め定めた第１の直流電圧レベルと比較する第１の比較器と、前記直流電圧検出器により検出した直流電圧検出値を予め定めた第２の直流電圧レベルと比較する第２の比較器と、当該インバータ装置の異常を外部に出力する異常信号発生器とを備え、前記直流電圧検出値が前記第２の直流電圧レベルを超えたときインバータ装置の運転を停止し、前記直流電圧検出値が前記第１の直流電圧レベルを超えたとき異常出力信号を外部に出力することを特徴とする。
【発明の効果】
【００１９】
この発明によれば、直流電圧検出値が第２の直流電圧レベルを超えたとき一時的な直流電圧の上昇と判断して外部に異常出力信号を出力せずにインバータ装置の運転を停止し、直流電圧検出値が第１の直流電圧レベルを超えたときインバータ装置の保護が必要と判断して異常出力信号を外部に出力することにより、過電圧状態からインバータ装置を適切に保護することができる。
【図面の簡単な説明】
【００２０】
【図１】この発明の第１の実施の形態を示すブロック図
【図２】図１の動作を説明する動作波形図
【図３】この発明の第２の実施の形態を示すブロック図
【図４】図３の動作を説明する動作波形図
【図５】この発明の第３の実施の形態を示すブロック図
【図６】図５の動作を説明する動作波形図
【図７】この発明の第４の実施の形態を示すブロック図
【図８】図７の動作を説明する動作波形図
【図９】従来例を示すブロック図
【図１０】図９の動作を説明する動作波形図
【図１１】図９の動作を説明する動作波形図
【発明を実施するための形態】
【００２１】
図１はこの発明の第１の実施の形態を示すインバータ装置のブロック図であり、従来例と同一機能を有するものについては同一の符号を付してその説明を省略する。
【００２２】
図において、５６は直流電圧検出器５２によって検出された直流電圧検出値Ｖdcと予め定めた第１の直流電圧レベルＶOV1（定格直流電圧の１３０％程度に定めた値）とを比較し、直流電圧検出値Ｖdcが第１の直流電圧レベルＶOV1を超えたとき過電圧信号を出力する第１の比較器、５７は直流電圧検出器５２によって検出された直流電圧検出値Ｖdcと予め定めた第２の直流電圧レベルＶOV2（定格直流電圧の１２５％程度に定めた値）とを比較し、直流電圧検出値Ｖdcが第２の直流電圧レベルＶOV2を超えたとき過電圧信号を出力する第２の比較器である。
【００２３】
なお、６０は過熱検出器であり、インバータ部２３を構成するＩＧＢＴ等のスイッチング素子の近傍に設けられたサーミスタ６１の温度検出値と予め定められた過熱レベルとの比較に基づいてインバータ装置２の過熱を検出するものである。７０は過電流検出器であり、インバータ装置２の出力電流を検出する電流検出器７１の電流検出値と予め定められた過電流レベルとの比較に基づいてインバータ装置２の過電流を検出するものである。これら過熱検出器６０および過電流検出器７０の出力は保護回路５０に送られ、過熱異常時，過電流異常時においても、後述する過電圧異常時と同様にインバータ装置２の一時停止、再運転（リトライ）、異常出力信号による停止等の保護動作が行われる。
【００２４】
以下、この発明の第１の実施の形態の動作を図２の動作波形図を用いて説明する。
【００２５】
何らかの原因で直流電圧が上昇し、直流電圧検出器５２によって検出された直流電圧検出値Ｖdcが第２の直流電圧レベルＶOV2を超えると時刻ｔ11で比較器５７が過電圧信号を出力する。この過電圧信号は保護回路５０に入力され、保護回路５０はゲート駆動回路５１に禁止信号を出力してインバータ装置２の運転の停止（インバータ部２３を構成するスイッチング素子のゲート遮断）を行うが、このときには一時的な直流電圧の上昇と判断してインバータ装置２の外部に異常信号発生器５５から異常出力信号は出力しない。
【００２６】
一方、時刻ｔ12で直流電圧検出器５２によって検出された直流電圧検出値Ｖdcが第２の直流電圧レベルＶOV2を超えると比較器５７が過電圧信号を出力する。この過電圧信号は保護回路５０に入力され、保護回路５０はゲート駆動回路５１に禁止信号を出力してインバータ装置２の運転を停止する。ここで、インバータ装置２が一時停止中に直流電圧がさらに上昇し、時刻ｔ13で直流電圧検出器５２によって検出された直流電圧検出値Ｖdcが第１の直流電圧レベルＶOV1を超えると、インバータ装置２の保護が必要と判断して比較器５６が保護回路５０に過電圧信号を出力する。保護回路５０では比較器５６から過電圧信号が入力されると異常信号発生器５５に異常信号を出力する。この信号を受けて異常信号発生器５５ではインバータ装置２の外部に異常出力信号を出力して、異常発生を不図示の表示器に表示するとともにコンタクタ４を開放する。なお、異常出力信号はインバータ装置２の外部から入力される異常解除指令により解除することができる。
【００２７】
このように、第１の直流電圧レベルＶOV1と第２の直流電圧レベルＶOV2との２つの直流電圧レベルを設けることにより、過電圧状態からインバータ装置２を適切に保護することができる。
【００２８】
特に、永久磁石形電動機を駆動するインバータ装置２では、何らかの原因で電動機速度が異常に上昇した場合、誘起電圧によって直流電圧が上昇するが、このときには異常信号発生器５５が異常出力信号を外部に出力してコンタクタ４を開放するので、電動機から流入するエネルギーによりインバータ装置２の直流電圧がさらに上昇するのを回避することができる。
【００２９】
また、この発明の過電圧保護によれば、インバータ装置２が停止中で電動機を駆動していない場合でも過電圧保護が可能である。例えば、インバータ装置２に永久磁石形電動機が接続されている場合、永久磁石形電動機が外力により回転すると発電機として動作し、インバータ装置２へエネルギーが供給されてインバータ装置２内の直流電圧を上昇させることになるが、直流電圧検出値Ｖdcが第１の直流電圧レベルＶOV1を超えると異常信号発生器５５が異常出力信号を外部に出力してコンタクタ４を開放するので、停止中のインバータ装置２の保護が可能になる。
【００３０】
図３はこの発明の第２の実施の形態を示すインバータ装置のブロック図であり、図１と同一機能を有するものについては同一の符号を付してその説明を省略する。
【００３１】
５８ａはインバータ装置２の一時停止後、再運転（リトライ）を行うリトライ回路であり、直流電圧検出器５２によって検出された直流電圧検出値Ｖdcが第２の直流電圧レベルＶOV2を超えてインバータ装置２を一時停止した後、予め定めた所定時間Ｔ1が経過したらインバータ装置２を再運転するためのリトライ信号を出力するものである。ここで、所定時間Ｔ1は第２の直流電圧レベルＶOV2以下の安全な値（例えば、定格直流電圧の１２０％程度に定めた値）まで低下するのに十分な時間を予め設定しておく。
【００３２】
以下、この発明の第２の実施の形態の動作を図４の動作波形図を用いて説明する。
【００３３】
何らかの原因で直流電圧が上昇し、時刻ｔ21で直流電圧検出器５２によって検出された直流電圧検出値Ｖdcが第２の直流電圧レベルＶOV2を超えると比較器５７が過電圧信号を出力する。この過電圧信号は保護回路５０に入力され、保護回路５０はゲート駆動回路５１に禁止信号を出力してインバータ装置２の運転の一時停止（インバータ部２３を構成するスイッチング素子のゲート遮断）を行うが、このときには一時的な直流電圧の上昇と判断して異常信号発生器５５からインバータ装置２の外部に異常出力信号は出力しない。
【００３４】
一方、過電圧信号はリトライ回路５８ａに入力され、リトライ回路５８ａ内のタイマにより過電圧信号が入力されてからの時間を計測する。この計測時間が予め定めた所定時間Ｔ1を経過した時刻ｔ22にリトライ信号を出力する。このリトライ信号を受けた保護回路５０はゲート駆動回路５１に許可信号を出力してインバータ装置２の運転を自動的に再開する。
【００３５】
再度、時刻ｔ23で直流電圧検出値Ｖdcが第２の直流電圧レベルＶOV2を超えた場合も上記と同様にインバータ装置２の運転の一時停止，再始動を行うが、直流電圧検出値Ｖdcが第１の直流電圧レベルＶOV1を超えない限り異常信号発生器５５からインバータ装置２の外部に異常出力信号は出力しない。
【００３６】
一方、時刻ｔ25で直流電圧検出値Ｖdcが第２の直流電圧レベルＶOV2を超えて一時停止中のインバータ装置２の直流電圧がさらに上昇し、時刻ｔ26で直流電圧検出値Ｖdcが第１の直流電圧レベルＶOV1を超えるとインバータ装置２の保護が必要と判断して比較器５６が過電圧信号を保護回路５０に出力する。保護回路５０では前述のようなインバータ装置２の自動的な運転再開は行わないようにするとともに、異常信号発生器５５に異常信号を出力し、この異常信号を受けて異常信号発生器５５ではインバータ装置２の外部に異常出力信号を出力して、異常発生を不図示の表示器に表示するとともにコンタクタ４を開放する。
【００３７】
このように、第１の直流電圧レベルＶOV1と第２の直流電圧レベルＶOV2との２つの直流電圧レベルを設け、第２の直流電圧レベルＶOV2のみを超えた際には、一時的な直流電圧の上昇と判断して異常出力信号を出力することなくインバータ装置２を一時停止し、予め定めた時間Ｔ1が経過したらインバータ装置２を再運転し、一方、第１の直流電圧レベルＶOV1を超えた際には、インバータ装置２の運転を停止するとともに、異常信号発生器５５から外部に異常出力信号を出力することにより、過電圧状態からインバータ装置２を適切に保護することができる。
【００３８】
図５はこの発明の第３の実施の形態を示すインバータ装置のブロック図であり、図１と同一機能を有するものについては同一の符号を付してその説明を省略する。
【００３９】
５８ｂはインバータ装置２の一時停止後、再運転（リトライ）を行うリトライ回路であり、直流電圧検出器５２によって検出された直流電圧検出値Ｖdcが第２の直流電圧レベルＶOV2を超えてインバータ装置２を一時停止した後、第２の直流電圧レベルＶOV2よりも小さい定格直流電圧の１２０％程度に予め定めた第３の直流電圧レベルＶOV3まで直流電圧が低下したらインバータ装置２を再運転するためのリトライ信号を出力するものである。
【００４０】
以下、この発明の第３の実施の形態の動作を図６の動作波形図を用いて説明する。
【００４１】
何らかの原因で直流電圧が上昇し、時刻ｔ31で直流電圧検出器５２によって検出された直流電圧検出値Ｖdcが第２の直流電圧レベルＶOV2を超えると比較器５７が過電圧信号を出力する。この過電圧信号は保護回路５０に入力され、保護回路５０はゲート駆動回路５１に禁止信号を出力してインバータ装置２の運転の一時停止（インバータ部２３を構成するスイッチング素子のゲート遮断）を行うが、このときには一時的な直流電圧の上昇と判断して異常信号発生器５５からインバータ装置２の外部に異常出力信号は出力しない。
【００４２】
一方、過電圧信号はリトライ回路５８ｂに入力され、リトライ回路５８ｂでは直流電圧検出値Ｖdcを監視し、直流電圧検出値Ｖdcが第３の直流電圧レベルＶOV3まで低下した時刻ｔ32でリトライ信号を出力する。このリトライ信号を受けた保護回路５０はゲート駆動回路５１に許可信号を出力してインバータ装置２の運転を自動的に再開する。なお、時刻ｔ33，時刻ｔ34の動作は、時刻ｔ31，時刻ｔ32の動作と同様であるので、ここでの説明は省略する。
【００４３】
そして、時刻ｔ35で直流電圧検出値Ｖdcが第２の直流電圧レベルＶOV2を超えて一時停止中のインバータ装置２の直流電圧がさらに上昇し、時刻ｔ36で直流電圧検出値Ｖdcが第１の直流電圧レベルＶOV1を超えるとインバータ装置２の保護が必要と判断して過電圧信号を保護回路５０に出力する。保護回路５０では前述のようなインバータ装置２の自動的な運転再開は行わないようにするとともに、異常信号発生器５５に異常信号を出力し、この異常信号を受けて異常信号発生器５５ではインバータ装置２の外部に異常出力信号を出力して、異常発生を不図示の表示器に表示するとともにコンタクタ４を開放する。
【００４４】
このように、第１の直流電圧レベルＶOV1と第２の直流電圧レベルＶOV2との２つの直流電圧レベルを設け、第２の直流電圧レベルＶOV2のみを超えた際には、一時的な直流電圧の上昇と判断して異常出力信号を出力することなくインバータ装置２を一時停止し、直流電圧検出値Ｖdcが第３の直流電圧レベルＶOV3まで低下したらインバータ装置２を再運転し、一方、第１の直流電圧レベルＶOV1を超えた際には、インバータ装置２の運転を停止するとともに、異常信号発生器５５から外部に異常出力信号を出力することにより、過電圧状態からインバータ装置２を適切に保護することができる。
【００４５】
図７はこの発明の第４の実施の形態を示すインバータ装置のブロック図であり、図１と同一機能を有するものについては同一の符号を付してその説明を省略する。
【００４６】
５８ｃはインバータ装置２の一時停止後、再運転（リトライ）を行うリトライ回路であり、直流電圧検出器５２によって検出された直流電圧検出値Ｖdcが第２の直流電圧レベルＶOV2を超えてインバータ装置２を一時停止した後、予め定めた所定時間Ｔ1が経過し、かつ予め定めた第３の直流電圧レベルＶOV3まで直流電圧が低下したらインバータ装置２を再運転するためのリトライ信号を出力するものである。
【００４７】
以下、この発明の第４の実施の形態の動作を図８の動作波形図を用いて説明する。
【００４８】
何らかの原因で直流電圧が上昇し、時刻ｔ41で直流電圧検出器５２によって検出された直流電圧検出値Ｖdcが第２の直流電圧レベルＶOV2を超えると比較器５７が過電圧信号を出力する。この過電圧信号は保護回路５０に入力され、保護回路５０はゲート駆動回路５１に禁止信号を出力してインバータ装置２の運転の一時停止（インバータ部２３を構成するスイッチング素子のゲート遮断）を行うが、このときには一時的な直流電圧の上昇と判断して異常信号発生器５５からインバータ装置２の外部に異常出力信号は出力しない。
【００４９】
一方、過電圧信号はリトライ回路５８ｃに入力され、リトライ回路５８ｃでは、過電圧信号が入力されてからの計測時間が予め定めた所定時間Ｔ1が経過し、かつ直流電圧検出値Ｖdcが第３の直流電圧レベルＶOV3まで低下した時刻ｔ42でリトライ信号を出力する。このリトライ信号を受けた保護回路５０はゲート駆動回路５１に許可信号を出力してインバータ装置２の運転を自動的に再開する。なお、時刻ｔ43，時刻ｔ44の動作は、時刻ｔ41，時刻ｔ42の動作と同様であるので、ここでの説明は省略する。
【００５０】
そして、時刻ｔ45で直流電圧検出値Ｖdcが第２の直流電圧レベルＶOV2を超えて一時停止中のインバータ装置２の直流電圧がさらに上昇し、時刻ｔ46で直流電圧検出値Ｖdcが第１の直流電圧レベルＶOV1を超えるとインバータ装置２の保護が必要と判断して比較器５６が保護回路５０に過電圧信号を出力する。保護回路５０では前述のようなインバータ装置２の自動的な運転再開は行わないようにするとともに、異常信号発生器５５に異常信号を出力し、この異常信号を受けて異常信号発生器５５ではインバータ装置２の外部に異常出力信号を出力して、異常発生を不図示の表示器に表示するとともにコンタクタ４を開放する。
【００５１】
このように、第１の直流電圧レベルＶOV1と第２の直流電圧レベルＶOV2との２つの直流電圧レベルを設け、第２の直流電圧レベルＶOV2のみを超えた際には、一時的な直流電圧の上昇と判断して異常出力信号を出力することなくインバータ装置２を一時停止し、過電圧信号が入力されてからの計測時間が予め定めた所定時間Ｔ1が経過し、かつ直流電圧検出値Ｖdcが第３の直流電圧レベルＶOV3まで低下したらインバータ装置２を再運転し、一方、第１の直流電圧レベルＶOV1を超えた際には、インバータ装置２の運転を停止するとともに、異常信号発生器５５から外部に異常出力信号を出力することにより、過電圧状態からインバータ装置２を適切に保護することができる。
【００５２】
なお、上記の各実施の形態では、直流電圧検出値Ｖdcが第１の直流電圧レベルＶOV1を超えると、異常信号発生器５５からインバータ装置２の外部に異常出力信号を出力してコンタクタ４を開放するようにしているが、保護回路５０に過熱検出器６０からの過熱異常信号が入力された場合や、過電流検出器７０からの過電流異常信号が入力された場合に、保護回路５０から異常信号発生器５５に異常信号を出力し、異常信号発生器５５からインバータ装置２の外部に異常出力信号を出力してコンタクタ４を開放するようにしてもよい。
【００５３】
さらに、インバータ装置２の一時停止の回数が所定回数（例えば５回）に達した場合、すなわち、直流電圧検出値Ｖdcが第２の直流電圧レベルＶOV2を超えるが、第１の直流電圧レベルＶOV1を超えない状態が所定回数に達した場合に、リトライオーバと判断して保護回路５０から異常信号発生器５５に異常信号を出力し、異常信号発生器５５からインバータ装置２の外部に異常出力信号を出力してコンタクタ４を開放するようにしてもよい。
【符号の説明】
【００５４】
１…交流電源、２…インバータ装置、３…交流電動機、４…コンタクタ、２１…整流部、２２…平滑コンデンサ、２３…インバータ部、５０…保護回路、５１…ゲート駆動回路、５２…直流電圧検出器、５５…異常信号発生器、５６…第１の比較器、５７…第２の比較器、５８ａ，５８ｂ，５８ｃ…リトライ回路。
【図１】
2012070573.tif 000003
【図２】
2012070573.tif 000004
【図３】
2012070573.tif 000005
【図４】
2012070573.tif 000006
【図５】
2012070573.tif 000007
【図６】
2012070573.tif 000008
【図７】
2012070573.tif 000009
【図８】
2012070573.tif 000010
【図９】
2012070573.tif 000011
【図１０】
2012070573.tif 000012
【図１１】
2012070573.tif 000013